(57)【要約】【課題】  外装ケース等の固定部材の上下に設置したつまみと摺動型物を簡単な手順で容易に取り付けることができるスライド式電子部品及びその組立方法を提供する。【解決手段】  つまみ１０に設けた係合爪２５ａ，２５ｂを、電子機器の外装ケース３０の貫通穴３１ａ，３１ｂに挿入して外装ケース３０の下面にスナップイン係合することで、係合爪２５ａ，２５ｂの先端部２８ａ，２８ｂを外装ケース３０の下面から突出させた状態で、つまみ１０を外装ケース３０にスライド移動自在に取り付け、外装ケース３０の下面から突出した係合爪２５ａ，２５ｂの先端部２８ａ，２８ｂを、摺動型物５０に設けた被係合部５９，５３に係合させることで、摺動型物５０とつまみ１０を、これらが外装ケース３０に対して一体にスライド移動自在となるように取り付けたスライド式電子部品である。【選択図】図６
2007053018.tif 000002
【特許請求の範囲】
【請求項１】
移動することで電気的機能部の電気的出力を変化させる摺動型物と、前記摺動型物を操作するつまみとを、固定部材に設けた貫通穴を介して一体にスライド移動自在に取り付けてなるスライド式電子部品において、
前記つまみに設けた係合爪を、前記固定部材の貫通穴に挿入して固定部材の下面にスナップイン係合することで、係合爪の先端を前記固定部材の下面から突出させた状態で、前記つまみを前記固定部材にスライド移動自在に取り付け、
前記固定部材の下面から突出した前記係合爪の先端を、前記摺動型物に設けた被係合部に係合させることで摺動型物とつまみを一体に取り付けることを特徴とするスライド式電子部品。
【請求項２】
移動することで電気的機能部の電気的出力を変化させる摺動型物と、前記摺動型物を操作するつまみとを、固定部材に設けた貫通穴を介して一体にスライド移動自在に取り付けてなるスライド式電子部品の組立方法であって、
前記つまみに設けた係合爪を、前記固定部材の貫通穴に挿入して固定部材の下面にスナップイン係合することで、係合爪の先端を固定部材の下面から突出させた状態でつまみを固定部材にスライド移動自在に取り付け、
前記固定部材の下面から突出した係合爪の先端を、前記摺動型物に設けた被係合部に係合させることで摺動型物とつまみを一体に取り付けることを特徴とするスライド式電子部品の組立方法。
【請求項３】
移動することで電気的機能部の電気的出力を変化させる摺動型物と、前記摺動型物を操作するつまみとを、固定部材に設けた貫通穴を介して一体にスライド移動自在に取り付けてなるスライド式電子部品において、
前記固定部材には、前記つまみをスライド移動自在に収納する収納溝が設けられ、且つ前記つまみには、そのスライド方向と略直交する方向に向かって突出して前記収納溝の前記スライド方向に向かう側面に当接する突出部が設けられて前記つまみの前記スライド方向に略直交する方向への移動が規制されていることを特徴とするスライド式電子部品。
【請求項４】
移動することで電気的機能部の電気的出力を変化させる摺動型物と、前記摺動型物を操作するつまみとを、固定部材に設けた貫通穴を介して一体にスライド移動自在に取り付けてなるスライド式電子部品において、
前記つまみには、該つまみから突出してこのつまみのスライド方向に伸びるガイド突起部が形成され、且つ前記固定部材には、前記ガイド突起部をスライド移動自在に係合させるガイド係合部が設けられて、前記ガイド突起部が前記ガイド係合部に係合することで前記つまみの前記スライド方向に略直交する方向への移動が規制されていることを特徴とするスライド式電子部品。
【発明の詳細な説明】
【技術分野】
【０００１】
本発明は、スライド式スイッチやスライド式可変抵抗器等のスライド式電子部品及びその組立方法に関するものである。
【背景技術】
【０００２】
従来のスライド式電子部品は、例えば特許文献１に示すように、電子機器の外装ケースに設けた貫通穴を介してその上下につまみと摺動型物を一体に取り付けることで、これらつまみと摺動型物が外装ケースに対して一体にスライド移動するように構成し、さらに摺動型物の下面に取り付けた摺動子を摺接させるパターンを形成した回路基板を摺動型物の下側に設置して、これら摺動子とパターンとで電気的機能部を構成している。このスライド式電子部品は、つまみを操作して摺動型物をスライド移動させると、摺動子がパターン上を摺接することで電気的機能部の電気的出力が変化するようになっている。
【特許文献１】特開２００３−１７８９０４号公報
【発明の開示】
【発明が解決しようとする課題】
【０００３】
ところで、従来のスライド式電子部品では、特許文献１のように、つまみと摺動型物の取り付けは、つまみに設けた突起部を摺動型物に設けた貫通穴に貫通させてこの突起部の先端を熱カシメすることで行っていた。しかしながらこの方法では、外装ケースを介してその上下につまみと摺動型物を一体に固定するには、つまみが外装ケースに固定されていない状態で、外装ケースを介してつまみと摺動型物を直接熱カシメして固定しなければならず、その取り付け作業が煩雑であった。そのため、電子機器の組み立て作業の効率化を図るには、従来の摺動型物へのつまみの取り付け方法を改善してスライド式電子部品の組み立て手順の簡単化を図る必要がある。
【０００４】
一方、スライド式電子部品では、摺動型物やつまみにそのスライド移動方向以外の方向へのガタつきがあると、これら摺動型物やつまみがスライド移動する際にスムーズな移動の妨げになり、また、スライド式電子部品を振動させた際に、つまみや摺動型物が他の部材に接触して接触音が生じるという問題がある。そのため、つまみや摺動型物のガタつきを効果的に防止する必要がある。
【０００５】
本発明は上述の点に鑑みてなされたものでありその目的は、外装ケース等の固定部材の上下に設置したつまみと摺動型物を簡単な手順で容易に取り付けることができるスライド式電子部品及びその組立方法を提供することにある。
【０００６】
また本発明の他の目的は、つまみや摺動型物のガタつきをなくしてスムーズに操作することができるスライド式電子部品を提供することにある。
【課題を解決するための手段】
【０００７】
上記課題を解決するため本願の請求項１に記載の発明は、移動することで電気的機能部の電気的出力を変化させる摺動型物と、前記摺動型物を操作するつまみとを、固定部材に設けた貫通穴を介して一体にスライド移動自在に取り付けてなるスライド式電子部品において、前記つまみに設けた係合爪を、前記固定部材の貫通穴に挿入して固定部材の下面にスナップイン係合することで、係合爪の先端を前記固定部材の下面から突出させた状態で、前記つまみを前記固定部材にスライド移動自在に取り付け、前記固定部材の下面から突出した前記係合爪の先端を、前記摺動型物に設けた被係合部に係合させることで摺動型物とつまみを一体に取り付けることを特徴とする。
【０００８】
本願の請求項２に記載の発明は、移動することで電気的機能部の電気的出力を変化させる摺動型物と、前記摺動型物を操作するつまみとを、固定部材に設けた貫通穴を介して一体にスライド移動自在に取り付けてなるスライド式電子部品の組立方法であって、前記つまみに設けた係合爪を、前記固定部材の貫通穴に挿入して固定部材の下面にスナップイン係合することで、係合爪の先端を固定部材の下面から突出させた状態でつまみを固定部材にスライド移動自在に取り付け、前記固定部材の下面から突出した係合爪の先端を、前記摺動型物に設けた被係合部に係合させることで摺動型物とつまみを一体に取り付けることを特徴とする。
【０００９】
本願の請求項３に記載の発明は、移動することで電気的機能部の電気的出力を変化させる摺動型物と、前記摺動型物を操作するつまみとを、固定部材に設けた貫通穴を介して一体にスライド移動自在に取り付けてなるスライド式電子部品において、前記固定部材には、前記つまみをスライド移動自在に収納する収納溝が設けられ、且つ前記つまみには、そのスライド方向と略直交する方向に向かって突出して前記収納溝の前記スライド方向に向かう側面に当接する突出部が設けられて前記つまみの前記スライド方向に略直交する方向への移動が規制されていることを特徴とする。
【００１０】
本願の請求項４に記載の発明は、移動することで電気的機能部の電気的出力を変化させる摺動型物と、前記摺動型物を操作するつまみとを、固定部材に設けた貫通穴を介して一体にスライド移動自在に取り付けてなるスライド式電子部品において、前記つまみには、該つまみから突出してこのつまみのスライド方向に伸びるガイド突起部が形成され、且つ前記固定部材には、前記ガイド突起部をスライド移動自在に係合させるガイド係合部が設けられて、前記ガイド突起部が前記ガイド係合部に係合することで前記つまみの前記スライド方向に略直交する方向への移動が規制されていることを特徴とする。
【発明の効果】
【００１１】
本願の請求項１に記載の発明によれば、つまみに設けた係合爪を固定部材の貫通穴に挿入して固定部材の下面にスナップイン係合し、固定部材の下面から突出した係合爪の先端を摺動型物に設けた被係合部に係合させることで摺動型物とつまみを一体に取り付けたので、固定部材の上下に設置したつまみと摺動型物を簡単な手順で容易に取り付けることができるスライド式電子部品となる。また、つまみが固定部材にスナップイン係合で取り付けられているので、つまみが固定部材から容易に外れるおそれのないスライド式電子部品となる。
【００１２】
本願の請求項２に記載の発明によれば、つまみに設けた係合爪を、固定部材の貫通穴に挿入して固定部材の下面にスナップイン係合し、固定部材の下面から突出した係合爪の先端を、摺動型物に設けた被係合部に係合させることで摺動型物とつまみを一体に取り付けるので、固定部材の上下に設置するつまみと摺動型物を簡単な手順で容易に取り付けてスライド式電子部品を組み立てることができる。
【００１３】
本願の請求項３に記載の発明によれば、固定部材に設けた収納溝のスライド方向に向かう側面につまみに設けた突出部を当接させることで、つまみのスライド方向に略直交する方向への移動を規制しているので、簡単な構成で部品点数を増加させずに、つまみや摺動型物にガタつきがなくこれらがスムーズにスライド移動することが可能なスライド式電子部品となる。
【００１４】
本願の請求項４に記載の発明によれば、つまみに設けたガイド突起部を固定部材に設けたガイド係合部に係合することで、つまみのスライド方向に略直交する方向への移動を規制しているので、簡単な構成で部品点数を増加させずに、つまみや摺動型物にガタつきがなく、これらがスムーズにスライド移動することが可能なスライド式電子部品となる。
【発明を実施するための最良の形態】
【００１５】
以下、本発明の実施形態を図面に基づいて詳細に説明する。
〔第１実施形態〕
図１及び図２は、本発明の第１実施形態にかかるスライド式電子部品（以下、本実施形態では「スライド式スイッチ」という）の分解斜視図で、図１はその上側部分、図２はその下側部分の構成部品を示す図である。このスライド式スイッチは、図１に示すつまみ１０と、固定部材（以下、本実施形態では「外装ケース」という）３０とからなるスイッチ操作部１と、図２に示す下ケース４０と、摺動型物５０と、摺動子６０と、フレキシブル回路基板７０と、取付部材８０とからなるスイッチ機能部２とを備えて構成されている。以下、各構成部品について説明する。なお以下の説明では、このスライド式スイッチにおいてつまみ１０と摺動型物５０が一体にスライド移動する方向（図１、図２の矢印で示す方向）を、スライド方向と呼ぶ。
【００１６】
つまみ１０は、いずれも合成樹脂の成型品である操作部材１１と取付部材２１とからなり、操作部材１１の下面に取付部材２１を一体に取り付けて構成されている。操作部材１１は、外形が略長方形状の平板状に形成され、その上面には指などで操作する突起状の操作部１２が形成され、その下面には下方に向かって突出する二個の突起状の固定部１３が設けられている。図３は、取付部材２１をその下面側から見た斜視図である。同図および図１に示すように取付部材２１は、操作部材１１の外形と略同一形状である略長方形の平板状に形成され、操作部材１１の固定部１３に対応する位置に貫通穴からなる取付固定部２２が設けられ、この取付固定部２２の下面外周には凹部２２ａが形成されている。また取付部材２１のスライド方向に向かう両側面２１ａ，２１ｂには、これら両側面２１ａ，２１ｂからそれぞれスライド方向と略直交する方向の両外側に向かって突出する舌片状の突出部２３ａ，２３ｂが各二個ずつ設けられ、さらに両側面２１ａ，２１ｂの突出部２３ａ，２３ｂの間には、矩形状に切り込まれた切込部２４ａ，２４ｂが形成されており、この切込部２４ａ，２４ｂの側面から下方に向かって係合爪２５ａ，２５ｂが突出して形成されている。互いに同形状の係合爪２５ａ，２５ｂは、図３に示すように、切込部２４ａ，２４ｂの側面から下方に向かって突出する可撓性を有する薄板状の基部２６ａ，２６ｂと、この基部２６ａ，２６ｂの先端部（下端部）２８ａ，２８ｂより少し上の外側の面（スライド方向に直交する両外側の面）に設けた外側に向かって突出する係合用突起２７ａ，２７ｂとを備えた形状に形成されている。係合用突起２７ａ，２７ｂは、その上面が略水平な平面状に形成され、その下面が取付部材２１の両外側（スライド方向に直交する両外側）に向かってそれぞれ上昇する傾斜面状に形成されている。
【００１７】
外装ケース３０は、スライド式スイッチを組み付ける例えばデジタルカメラなどの各種電子機器の外装ケースであり、合成樹脂の成型品からなる。なお各図においては、外装ケース３０は、つまみ１０を取り付ける部分及びその周囲のみを図示している。この外装ケース３０は略平板状で、つまみ１０の係合爪２５ａ，２５ｂを挿通させる貫通穴３１ａ，３１ｂが形成されている。貫通穴３１ａ，３１ｂは、互いに同形のスライド方向を長手方向とする長方形状で、これら２個の貫通穴３１ａ，３１ｂはスライド方向に直交する方向に沿って所定間隔で並べて設けられている。一方、外装ケース３０上面の貫通穴３１ａ，３１ｂの周囲には、つまみ１０の取付部材２１の下面をスライド移動自在に収納する収納溝３３が形成されている。この収納溝３３は、所定深さに形成されたスライド方向を長手方向とする長方形状の溝で、そのスライド方向に向かう両側面３４ａ，３４ｂの間の幅寸法Ｄが、つまみ１０の突出部２３ａ，２３ｂの先端間の幅寸法Ｄ´と略同一かそれよりもわずかに大きい寸法に形成されている。
【００１８】
次に、図２に示す下ケース４０は、金属製の板材などで構成され、スライド方向を長手方向とする略長方形の平板状に形成された上面部４１と、上面部４１の四辺に連接し下方に向かって略直角に折り曲げられた側壁４２ａ〜４２ｄとを備えて箱型に形成され、側壁４２ａ〜４２ｄで囲まれた下面に開口する凹状の収納部４３を設けている。また、スライド方向に向かう両側壁４２ａ，４２ｂの下端には、下方に向かって伸びる細片状の固定部４４ａ，４４ｂがそれぞれ二個ずつ形成されている。さらに側壁４２ａの固定部４４ａの間には、側壁４２ａの下端を矩形状に切り欠いてなる切欠部４５が設けられている。一方、上面部４１の側壁４２ｂの近傍位置には、スライド方向を長手方向とする略長方形状の貫通穴である開口部４６が設けられている。また、上面部４１の開口部４６と側壁４２ａとの間には、それぞれ上面部４１の途中から切り欠かれて、スライド方向に沿って両側壁４２ｃ，４２ｄの上端まで達し、さらにそこから下方向に向かい両側壁４２ｃ，４２ｄの途中まで連続する切り欠きとして形成された切欠部４７ｃ，４７ｄが設けられている。両切欠部４７ｃ，４７ｄ内には、切欠部４７ｃ，４７ｄのスライド方向に直交する方向に向かう両側面の間に掛け渡された帯状の当接用突起部４８ｃ，４８ｄが形成されている。この当接用突起部４８ｃ，４８ｄは、その途中が下方に向かって折り返されて収納部４３内に突出しており、この折り返された部分の相互に対向する側面が、下記するコイルスプリング５５の両端部５５ｃ，５５ｄに当接する当接部４９ｃ，４９ｄになっている。
【００１９】
摺動型物５０は、スライド方向に向かう長手方向の側面５１ａ，５１ｂとスライド方向に直交する方向に向かう短手方向の側面５１ｃ，５１ｄを備える略長方形状で、所定の厚さ寸法を有する平板状に形成された合成樹脂の成型品である。そしてその両側面５１ａ，５１ｂ間の幅寸法が、下ケース４０の両側壁４２ａ，４２ｂの内面間の幅寸法よりも若干小さく形成されていて、摺動型物５０が収納部４３内で側壁４２ａ，４２ｂにガイドされてスライド方向に移動自在となるように形成されている。また、側面５１ａ，５１ｂの下端には、それぞれ下方に突出してスライド方向に向かって形成された突起状の案内部５２ａ，５２ｂが設けられている。一方、上面の側面５１ｂに近い位置には、略矩形状の所定深さの凹部からなる被係合部５３が設けられている。この被係合部５３のスライド方向の幅寸法Ｌは、つまみ１０の係合爪２５ｂのスライド方向の幅寸法Ｌ´（図３参照）と略同一の寸法に形成されている。また摺動型物５０の上面の被係合部５３と側面５１ａとの間には、スライド方向を長手方向とする長方形状の凹部であるコイルスプリング収納部５４が設けられている。このコイルスプリング収納部５４に収納されるコイルスプリング５５は、弾性金属製の線材をコイル状に巻回して構成されたもので、その軸方向（コイル軸方向）に圧縮されることで弾発力（弾性復帰力）を生じるバネ材である。そしてコイルスプリング収納部５４は、コイルスプリング５５を収納可能な深さを有し、その底面が略円筒形状に形成されると共に、スライド方向の両端部には、これを塞ぐ板状の係止部５６ｃ，５６ｄが設けられている。さらにこの係止部５６ｃ，５６ｄには、その上端から下端まで直線状に切り込まれた切込部５７ｃ，５７ｄが設けられている。切込部５７ｃ，５７ｄの幅寸法は、下ケース４０の当接部４９ｃ，４９ｄの幅寸法よりも若干大きな寸法に形成されている。
【００２０】
一方、摺動型物５０の側面５１ａには、水平方向外側に向かって突出する略平板状の突出部５８が設けられ、この突出部５８の上面には、スライド方向に沿って所定間隔で並べて設けられた二個の突起５８ｃ，５８ｄの間に形成された溝状の被係合部５９が設けられている。この被係合部５９のスライド方向の幅寸法（突起５８ｃ，５８ｄの側面間の幅寸法）Ｌは、つまみ１０の係合爪２５ａのスライド方向の幅寸法Ｌ´と略同一の寸法に形成されている。そして被係合部５３と被係合部５９とは、スライド方向における同一の位置に設けられており、スライド式スイッチを組み立てた際に、被係合部５３に係合爪２５ａの先端部２８ａが係合し、被係合部５９に係合爪２５ｂの先端部２８ｂが係合するように形成されている。一方、摺動型物５０の下面の所定位置には、摺動子６０を取り付ける突起状の固定部６５が設けられている。
【００２１】
摺動子６０は、導電性を有する弾性金属板によって構成され、平板状の基部６１の一端から二本の摺動冊子６２を突出し、これらを基部６１の下側に折り曲げて形成されている。基部６１には貫通穴からなる取付固定部６３が設けられている。
【００２２】
フレキシブル回路基板７０は、可撓性を有する合成樹脂フイルム（ポリエチレンテレフタレートフイルム〔ＰＥＴフイルム〕等）製で、摺動子６０の摺動冊子６２が摺接する位置には、導電塗料を印刷形成してなる摺接パターン（以下、本実施形態では「スイッチパターン」という）７１が形成されていて、これがフレキシブル回路基板７０の表面に形成された図示しない回路パターンに接続されている。一方、下ケース４０の各固定部４４ａ，４４ｂに対応する位置には、矩形状の貫通穴からなる取付固定部７２が形成されている。なお図２では、フレキシブル回路基板７０は、その一部のみを図示している。
【００２３】
取付部材８０は、金属製あるいは合成樹脂製などの硬質板であり、フレキシブル回路基板７０の取付固定部７２に対応する位置に、取付固定部７２と同形状の矩形状の貫通穴からなる取付固定部８２を設けて構成されている。なお図２では、取付部材８０は、その一部のみを図示している。
【００２４】
次に、スライド式スイッチの組み立て手順を説明する。まず、スイッチ操作部１を組み立てる手順を説明すると、操作部材１１の下面に取付部材２１を取り付けてつまみ１０を組み立てる。その際、操作部材１１の固定部１３を取付部材２１の取付固定部２２に挿通させて、取付部材２１の下面側に突出した固定部１３の先端を熱カシメして固定する。ここでは、熱カシメした固定部１３の先端は、凹部２２ａ内に収まるため取付部材２１の下面から突出しない。次に、この組み立てたつまみ１０を外装ケース３０に取り付ける。このとき、つまみ１０の下面（取付部材２１の下面）を外装ケース３０の収納溝３３内に配置し、各突出部２３ａ，２３ｂの先端を収納溝３３の側面３４ａ，３４ｂに当接させると共に、つまみ１０の係合爪２５ａ，２５ｂを貫通穴３１ａ，３１ｂに挿入する。このとき係合爪２５ａ，２５ｂを貫通穴３１ａ，３１ｂに挿入していくと、係合爪２５ａ，２５ｂの係合用突起２７ａ，２７ｂの下面に、貫通穴３１ａ，３１ｂの外側の側面３２ａ，３２ｂの上端部がそれぞれ当接することで、両係合爪２５ａ，２５ｂがつまみ１０の内側方向に向かって押されて両基部２６ａ，２６ｂが撓み、係合用突起２７ａ，２７ｂが側面３２ａ，３２ｂを乗り越えて側面３２ａ，３２ｂの下端部（外装ケース３０下面の貫通穴３１ａ，３１ｂの外周）にスナップイン係合する。以上によりスイッチ操作部１の組み立てが完了する。
【００２５】
図４は、外装ケース３０につまみ１０を取り付けてなるスイッチ操作部１を、その下面側から見た斜視図である。同図に示すように、係合爪２５ａ，２５ｂが貫通穴３１ａ，３１ｂを貫通して外装ケース３０の下面にスナップイン係合していることで、つまみ１０が外装ケース３０に対してスライド方向に沿ってスライド移動自在となるように取り付けられている。またこのとき、係合爪２５ａ，２５ｂの先端部２８ａ，２８ｂが、貫通穴３１ａ，３１ｂから外装ケース３０の下面に突出した状態になっている。
【００２６】
次に、スイッチ機能部２を組み立てる手順を説明する。まず、摺動型物５０のコイルスプリング収納部５４にコイルスプリング５５を収納する。この際、コイルスプリング５５を圧縮した状態で収納することで、コイルスプリング５５の両端部５５ｃ，５５ｄを係止部５６ｃ，５６ｄに弾接させた状態にする。一方で、摺動型物５０の下面に摺動子６０を取り付ける。このとき、固定部６５を摺動子６０の取付固定部６３に挿通させて基部６１の下面側に突出した固定部６５の先端を熱カシメして固定する。そして、このコイルスプリング５５と摺動子６０を取り付けた摺動型物５０を、下ケース４０の収納部４３に収納する。この際、下ケース４０の当接部４９ｃ，４９ｄをそれぞれ摺動型物５０の切込部５７ｃ，５７ｄ内に挿入することで、当接部４９ｃ，４９ｄをコイルスプリング５５の両端部５５ｃ，５５ｄに当接させた状態にする。また、摺動型物５０の突出部５８の根元部分を、下ケース４０の切欠部４５の下側に配置して、突出部５８の先端を切欠部４５から下ケース４０の外側に突出させて、被係合部５９を側壁４２ａの外側に配置する。またこのとき、もう一方の被係合部５３が、下ケース４０の開口部４６から露出した状態になる。この状態で、取付部材８０の上面にフレキシブル回路基板７０を重ね合わせたものを、下ケース４０の下面（側壁４２ａ〜４２ｄの下端面）に取り付ける。この際、下ケース４０の固定部４４ａ，４４ｂをフレキシブル回路基板７０の取付固定部７２と取付部材８０の取付固定部８２に挿通させて、取付部材８０の下面側に突出した固定部４４ａ，４４ｂを、それぞれ取付部材８０の内側に向けて折り曲げることで、これら各部材を一体に固定する。以上によりスイッチ機能部２の組み立てが完了する。
【００２７】
次に、上記手順によりあらかじめ組み立てたスイッチ操作部１のつまみ１０の係合爪２５ａ，２５ｂの先端部２８ａ，２８ｂを、スイッチ機能部２の摺動型物５０の被係合部５
９，５３に係合させて取り付ける。図５は、この手順を説明するための概略側断面図である。この取り付けは、スイッチ操作部１の外装ケース３０に、スイッチ機能部２の取付部材８０を取り付けることで行われる。即ち、外装ケース３０内にスイッチ機能部２を収納し、これを貫通穴３１ａ，３１ｂの下側に配置する際に、スイッチ機能部２の取付部材８０を、その図示しない位置でスイッチ操作部１の外装ケース３０に対して固定する。それと同時に、外装ケース３０の下面に突出する係合爪２５ａ，２５ｂの先端部２８ａ，２８ｂが、摺動型物５０の被係合部５９，５３内に挿入される。ここでは、上記したように係合爪２５ａ，２５ｂの幅寸法Ｌ´と被係合部５９，５３の幅寸法Ｌとが略同一の寸法に形成されているので、スライド方向において係合爪２５ａ，２５ｂの先端部２８ａ，２８ｂが被係合部５９，５３内に固く係合し、つまみ１０と摺動型物５０が外装ケース３０を介してその上下で一体に固定される。以上によりスライド式スイッチの組み立てが完了する。
【００２８】
図６は、組み立てたスライド式スイッチの構成を示す概略側断面図である。同図に示すようにこのスライド式スイッチは、つまみ１０に設けた係合爪２５ａ，２５ｂを、外装ケース３０の貫通穴３１ａ，３１ｂに挿入して外装ケース３０の下面にスナップイン係合することで、係合爪２５ａ，２５ｂの先端部２８ａ，２８ｂを外装ケース３０の下面から突出させた状態で、つまみ１０を外装ケース３０にスライド移動自在に取り付けると共に、外装ケース３０の下面から突出した係合爪２５ａ，２５ｂの先端部２８ａ，２８ｂを、摺動型物５０に設けた被係合部５９，５３に係合させることで、摺動型物５０とつまみ１０を外装ケース３０の貫通穴３１ａ，３１ｂを介して一体にスライド移動自在に取り付けて構成されている。ここでは、係合爪２５ａ，２５ｂの先端部２８ａ，２８ｂが摺動型物５０の被係合部５９，５３内に係合していることで、係合爪２５ａ，２５ｂがつまみ１０の内側方向に向かって撓もうとすると被係合部５３，５９の内側の側面に当接してその移動が規制されるので、係合爪２５ａ，２５ｂ（係合用突起２７ａ，２７ｂ）のケース３０へのスナップイン係合が容易に外れるおそれがない。またこのスライド式スイッチでは、下ケース４０内にスライド移動自在に収納された摺動型物５０に取り付けた摺動子６０と、フレキシブル回路基板７０上に形成されたスイッチパターン７１とで、摺動型物５０のスライド移動により電気的出力が変化する電気的機能部１００が構成されている。
【００２９】
図７はこのスライド式スイッチのスイッチ操作部１の概略平面図である。同図を参照してスライド式スイッチの動作を説明する。まず、つまみ１０を操作していない状態では、図７に示すように、つまみ１０は収納溝３３のスライド方向の中央に位置すると共に、図２に示す摺動型物５０が下ケース４０の収納部４３の略中央に位置し、コイルスプリング５５の両端部５５ｃ，５５ｄがそれぞれ下ケース４０の当接部４９ｃ，４９ｄに当接している。このときのつまみ１０と摺動型物５０の位置を中立位置とする。この中立位置から、つまみ１０をスライド方向のいずれか一方に向かって動かすと、つまみ１０と摺動型物５０が一体にスライド移動して、摺動子６０の摺動冊子６２がスイッチパターン７１上を摺接してスイッチのオンオフ出力が変化する。またこのとき、コイルスプリング５５が、下ケース４０のいずれか一方の当接部４９ｃ又は４９ｄとこれに対向する摺動型物５０のいずれか一方の係止部５６ｄ又は５６ｃとに挟まれて圧縮され、摺動型物５０に中立位置への復帰力が生じる。したがって、つまみ１０を操作する力を取り除くと、コイルスプリング５５が元の形状に復帰することで摺動型物５０が中立位置に自動復帰し、スイッチのオンオフ出力が元の状態に戻る。
【００３０】
一方、つまみ１０を中立位置からスライド方向の他方に向かって動かすと、つまみ１０と摺動型物５０が一体にスライド移動し、摺動子６０の摺動冊子６２がスイッチパターン７１上を摺接してスイッチのオンオフ出力が変化する。またこのとき、下ケース４０の当接部４９ｃ又は４９ｄとこれに対向する摺動型物５０の係止部５６ｄ又は５６ｃとの間に挟まれたコイルスプリング５５が圧縮されるので、つまみ１０を操作する力を取り除くと摺動型物５０が中立位置に自動復帰し、スイッチのオンオフ出力が元の状態に戻る。
【００３１】
ここで図７に示すように、つまみ１０に、スライド方向と略直交する方向に向かって突出する突出部２３ａ，２３ｂを設け、この突出部２３ａ，２３ｂの先端を外装ケース３０の収納溝３３のスライド方向に向かう側面３４ａ，３４ｂに当接させて、つまみ１０のスライド方向に略直交する方向への移動を規制しているので、つまみ１０や摺動型物５０がスライド移動する際に、これらにガタつきがなくスムーズに操作することが可能となる。また、このスライド式スイッチを振動させた際に、つまみ１０がスライド方向に直交する方向に向かって回転するように移動してつまみ１０の側面２１ａ，２１ｂが収納溝３３の側面３４ａ，３４ｂに接触したり、図２に示す摺動型物５０の側面５１ａ，５１ｂが下ケース４０の側壁４２ａ，４２ｂの内面に接触したりするおそれがないので、中立位置においてつまみ１０や摺動型物５０がガタつかずに済む。したがって、簡単な構成で部品点数を増加させずに、操作性が良好で且つ振動させた際に接触音が発生しないスライド式スイッチを構成できる。
【００３２】
以上説明したように、このスライド式スイッチでは、あらかじめ外装ケース３０につまみ１０をスナップイン係合によって取り付けることでスイッチ操作部１を組み立てておき、一方それとは別に、摺動型物５０を下ケース４０内に収納して下ケース４０の下面にフレキシブル回路基板７０と取付部材８０を取り付けることでスイッチ機能部２を組み立てておき、その後、スイッチ操作部１にスイッチ機能部２を取り付ける際に、外装ケース３０の下面から突出した係合爪２５ａ，２５ｂの先端を、摺動型物５０に設けた被係合部５９，５３にそれぞれ係合させて摺動型物５０とつまみ１０を一体に取り付けるので、外装ケース３０の上下に設置したつまみ１０と摺動型物５０を簡単な手順で容易に取り付けることができるスライド式スイッチとなる。
【００３３】
また、つまみ１０が外装ケース３０にスナップイン係合で取り付けられているので、つまみ１０が外装ケース３０から容易に外れてしまうおそれがない。またこのスライド式スイッチでは、係合爪２５ａ，２５ｂの幅寸法Ｌ´と被係合部５９，５３の幅寸法Ｌが略同一の寸法に形成されて、係合爪２５ａ，２５ｂの先端部２８ａ，２８ｂが被係合部５９，５３内にスライド方向で固く係合しているので、つまみ１０と摺動型物５０の間にガタつきが生じるおそれがない。
【００３４】
〔第２実施形態〕
次に、本発明の第２実施形態にかかるスライド式スイッチを説明する。以下の本実施形態にかかる図面及びその説明においては、上記の第１実施形態と共通する構成部分には同一の符号を付す。なお以下で説明する事項以外の事項や図示する以外の部分については、第１実施形態と同じである。図８は、本発明の第２実施形態にかかるスライド式スイッチが備えるつまみ１０−２と外装ケース３０−２とからなるスイッチ操作部１−２を、その下面側から見た分解斜視図である。本実施形態が第１実施形態と相違する点は、第１実施形態における取付部材２１を備えたつまみ１０にかえて、他の構成の取付部材２１−２を備えたつまみ１０−２を設けた点と、第１実施形態の外装ケース３０にかえて、他の構成の外装ケース３０−２を設けた点である。
【００３５】
即ち、つまみ１０−２が備える取付部材２１−２は、第１実施形態の取付部材２１が備える突出部２３ａ，２３ｂを省略するかわりに、取付部材２１−２の下面にガイド突起部９０を設けて構成されている。このガイド突起部９０は、取付部材２１−２の下面中央から下方に向かって突出する突起状の支持部９１と、該支持部９１の先端からスライド方向の両外側に向かって略水平に直線状に延伸する棒状のガイド部９２とを備えて略Ｔ字形状に形成されている。一方、外装ケース３０−２は、その貫通穴３１ａと貫通穴３１ｂの間であってつまみ１０−２のガイド突起部９０に対応する位置に、ガイド係合部９５を設けている。このガイド係合部９５は、長手方向がスライド方向である長方形状の貫通穴９６と、外装ケース３０−２の下面の貫通穴９６の長手方向の両端からスライド方向の両外側に向かって直線状に形成された溝部９７とを備えて構成されている。貫通穴９６は、ガイド部９２を挿通させてこれを外装ケース３０−２の下面側に露出させる形状に形成され、溝部９７は、その内部でガイド部９２をスライド方向に沿ってスライド移動可能な形状に形成されている。なお、貫通穴９６のスライド方向の両端部を溝部９７とし、この部分に貫通穴９６を設けないのは、つまみ１０−２がスライド移動した際に、外装ケース３０の上面側から貫通穴９６が見えてしまうことを防ぐためである。
【００３６】
このスライド式スイッチの組み立てにおいて、つまみ１０−２の係合爪２５ａ，２５ｂを外装ケース３０−２の貫通穴３１ａ，３１ｂに貫通させて、つまみ１０−２を外装ケース３０−２にスナップイン係合で取り付ける際に、ガイド突起部９０のガイド部９２を貫通穴９６に挿通させて外装ケース３０の下面側に露出させる。これにより、ガイド突起部９０がガイド係合部９５に係合した状態になる。そしてこのスライド式スイッチは、つまみ１０−２をスライド移動させると、ガイド突起部９０のガイド部９２がガイド係合部９５の貫通穴９６及び溝部９７内をスライド移動する。このようにガイド突起部９０がガイド係合部９５に係合していることで、つまみ１０−２のスライド方向に略直交する方向への移動が規制されている。これにより、スライド式スイッチを振動させた際に、つまみ１０−２がスライド方向に直交する方向に向かって回転するように移動してつまみ１０−２の側面２１ａ，２１ｂが、外装ケース３０−２の収納溝３３の側面３４ａ，３４ｂに接触したり、摺動型物５０の側面５１ａ，５１ｂが下ケース４０の側壁４２ａ，４２ｂの内面に接触したりするおそれがないので、つまみ１０−２や摺動型物５０がガタつかずに済む。また、つまみ１０−２や摺動型物５０がスライド移動する際にも、これらにガタつきがなくスムーズな操作が可能となる。したがって第１実施形態と同様、簡単な構成で部品点数を増加させることなく、振動させた際に接触音が発生せず、且つ操作性が良好なスライド式スイッチとなる。また、第１実施形態のように取付部材２１に突出部２３ａ，２３ｂを設けると、この突出部２３ａ，２３ｂが外から見えてしまいスライド式スイッチの外観上問題がある場合でも、本実施形態のようにつまみ１０−２の下面にガイド突起部９０を設けると共に、外装ケース３０−２のつまみ１０−２の下面に対向する位置にガイド係合部９５を設ければ、スライド式スイッチの外観に影響を与えずに、つまみ１０−２や摺動型物５０のガタつきを効果的に防止することが可能となる。
【００３７】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば、第１実施形態においては、つまみ１０の係合爪２５ａ，２５ｂそれぞれに対応する貫通穴３１ａ，３１ｂを外装ケース３０に設けたが、これら貫通穴３１ａ，３１ｂは互いに連結した１個の貫通穴として形成してもよい。また上記各実施形態のスライド式スイッチでは、つまみ１０（１０−２）に２個の係合爪２５ａ，２５ｂを設けているが、つまみ１０に設ける係合爪２５ａ，２５ｂは、そのいずれか一方のみとしてもよい。その場合は、省略した係合爪２５ａ又は２５ｂに対応する外装ケース３０（３０−２）のいずれか一方の貫通穴３１ａ又は３１ｂも不要となる。
【００３８】
また、上記各実施形態では、つまみ１０（１０−２）を操作部材１１と取付部材２１の二個の部品で構成している場合を示したが、つまみ１０（１０−２）は１個の部品で一体に形成されていてもよい。また、第１実施形態のスライド式スイッチが備える突出部２３ａ，２３ｂと、第２実施形態のスライド式スイッチが備えるガイド突起部９０及びガイド係合部９５とは、これら両方を同一のスライド式スイッチに設置することもでき、これにより、つまみ１０（１０−２）や摺動型物５０のガタつきをより効果的に防止することが可能となる。さらに第２実施形態では、つまみ１０−２に設けたガイド突起部９０を略Ｔ字形状に形成したが、ガイド突起部９０の形状はこれに限定されず、例えばその他にも、ガイド突起部９０を、つまみ１０−２の下面（取付部材２１−２の下面）から下方に向かって突出してスライド方向に伸びる板状の突起部とし（つまり、図８で示す支持部９１を省略して、取付部材２１−２の下面に直接ガイド部９２を設けた構造）、外装ケース３０−２の上面側である収納溝３３の底面に、この板状の突起部をスライド移動自在に係合させる溝部を設けることも可能である。
【００３９】
また、上記の各実施形態では、スライド式電子部品として、スイッチパターン７１上を摺動冊子６２が摺接する構成の電気的機能部を備えたスライド式スイッチを説明したが、スライド式電子部品の構成はこれに限定されず、その他にも例えば、抵抗体パターン上を摺動冊子６２が摺接する構成の電気的機能部を備えたスライド式可変抵抗器などとすることも可能である。
【図面の簡単な説明】
【００４０】
【図１】本発明の第１実施形態にかかるスライド式電子部品の分解斜視図（上側）である。
【図２】本発明の第１実施形態にかかるスライド式電子部品の分解斜視図（下側）である。
【図３】取付部材２１をその下面側から見た斜視図である。
【図４】つまみ１０を取り付けた外装ケース３０をその下面側から見た斜視図である。
【図５】スライド式電子部品の組み立て方法を説明するための図である。
【図６】スライド式電子部品の概略側断面図である。
【図７】スライド式電子部品のつまみ１０と外装ケース３０の平面図である。
【図８】本発明の第２実施形態にかかるスライド式電子部品が備えるつまみ１０−２と外装ケース３０−２をその下面側から見た分解斜視図である。
【図９】つまみ１０−２を取り付けた外装ケース３０−２をその下面側から見た斜視図である。
【符号の説明】
【００４１】
１                    スイッチ操作部
２                    スイッチ機能部
１０                  つまみ
１１                  操作部材
２１                  取付部材
２３ａ，２３ｂ        突出部
２５ａ，２５ｂ        係合爪
２６ａ，２６ｂ        基部
２７ａ，２７ｂ        係合用突起
２８ａ，２８ｂ        先端部
３０                  外装ケース（固定部材）
３１ａ，３１ｂ        貫通穴
３２ａ，３２ｂ        側面
３３                  収納溝
３４ａ，３４ｂ        側面
４０                  下ケース
４３                  収納部
５０                  摺動型物
５３                  被係合部
５４                  コイルスプリング収納部
５５                  コイルスプリング
５８                  突出部
５９                  被係合部
６０                  摺動子
７０                  フレキシブル回路基板
７１                  スイッチパターン
８０                  取付部材
９０                  ガイド突起部
９５                  ガイド係合部
１００                電気的機能部
【図１】
2007053018.tif 000003
【図２】
2007053018.tif 000004
【図３】
2007053018.tif 000005
【図４】
2007053018.tif 000006
【図５】
2007053018.tif 000007
【図６】
2007053018.tif 000008
【図７】
2007053018.tif 000009
【図８】
2007053018.tif 000010
【図９】
2007053018.tif 000011